(57)【要約】【課題】施工時の工数を削減して壁パネルの組み立てを容易にした。【解決手段】ユニットバス１は、浴室７と、浴室７の周囲を断面略Ｌ字状に折り曲げた壁パネル２で囲って四角形筒状の内側側壁３Ａを形成した。内側側壁３Ａの外側に間隙Ｋを介して壁パネル２で外側側壁３Ｂを形成した。内側側壁３Ａ及び外側側壁３Ｂの壁パネル２はその下端部を床フレーム８に固定して自立させた。内側側壁３Ａの開口部１１の側部に操作パネルを取り付け、電気配線を配設した。内側側壁３Ａにおける開口部１１の反対側の壁パネル２に浴室７内の浴槽９と洗い場１０の蛇口に連結する給水配管を設置した。これら電気配線と給水配管は内側側壁３Ａ及び外側側壁３Ｂの間隙Ｋ内に収納してユニット化した。【選択図】図１
2018053529.tif 000002
【特許請求の範囲】
【請求項１】
衛生設備と、
前記衛生設備の周囲に配設されていて床部材に固定された壁パネルで形成された内側側壁と、
前記内側側壁の外側に配設されていて床部材に固定された壁パネルで形成された外側側壁とを備え、
前記内側側壁及び外側側壁の間に形成された間隙内に配管と配線の少なくとも一方が収納されていることを特徴とする衛生設備ユニット。
【請求項２】
前記内側側壁と外側側壁は高さ方向の中央より上側にスペーサまたは天井パネルが連結されている請求項１に記載された衛生設備ユニット。
【請求項３】
前記壁パネルはハニカム材または発泡材で形成されている請求項１または２に記載された衛生設備ユニット。
【発明の詳細な説明】
【技術分野】
【０００１】
本発明は、例えば浴室や便器やキッチン台や洗面台等の衛生設備を備えた衛生設備ユニットに関する。
【背景技術】
【０００２】
従来、浴室や便器やキッチン台や洗面台等の衛生設備（水回り設備）を備えたユニットバスやトイレ室やキッチンや洗面所等の衛生設備ユニットを、集合住宅やホテルや戸建て住宅等の室内に設置することが行われている。この種の衛生設備ユニットは、従来の在来工法による衛生設備の施工と比較して短時間で施工でき、水漏れのリスクが少ない上に配管や配線の設置が簡単であるため、広く施工されている。
【０００３】
例えば、下記特許文献１に記載された衛生設備ユニットは、躯体フレームが中空枠体を角枠状に組んだ床フレーム及び天井フレームと、両フレームを固定支持する支持柱とで構成され、支持柱の周囲を壁体で囲っている。壁体は防水機能を有する内壁と化粧仕上げされた外壁とで内外二重壁に形成され、内壁と外壁は隅部と辺部に配置した支持柱の内側と外側に所定の間隙を以て固定されている。壁体は壁パネルと緩衝材とで構成され、二重壁の内部には支持柱と緩衝材が設置されている。
そして、浴室や便器、キッチン台や洗面台等の水回り設備に接続された給排水管は床パネルの下側に配設されている。天井フレームの上部に設けた機器室の内部には照明器具や電気配線等が配置されている。
【先行技術文献】
【特許文献】
【０００４】
【特許文献１】特開２０１０−２４２３８０号公報
【発明の概要】
【発明が解決しようとする課題】
【０００５】
しかしながら、上述した特許文献１に記載された衛生設備ユニットは、支持柱を垂直に設置した上で緩衝材を内面に設けた壁パネルを係止し、モールディングで支持柱に壁パネルを固定しなければならないため、工数が多くて施工性が悪いという欠点があった。
しかも、床パネルの下側に設置した給排水管は床パネルからユニット内に起立して蛇口や給排水口等に延びる構成であるため、施工時における給排水管の施工が面倒であった。電気配線も天井フレームの上部の機器室に設置されているため、配線の取り回しが不便であった。そのため、給排水管や電気配線のユニット化が不十分であった。
【０００６】
本発明は、このような課題に鑑みてなされたものであって、施工時の工数を削減して壁パネルの組み立てを容易にした衛生設備ユニットを提供することを目的とする。
【課題を解決するための手段】
【０００７】
本発明による衛生設備ユニットは、衛生設備と、衛生設備の周囲に配設されていて床部材に固定された壁パネルで形成された内側側壁と、内側側壁の外側に配設されていて床部材に固定された壁パネルで形成された外側側壁とを備え、内側側壁及び外側側壁の間に形成された間隙内に配管と配線の少なくとも一方が収納されていることを特徴とする。
本発明による衛生設備ユニットによれば、浴槽やトイレ等の衛生設備の周囲に床部材に固定された内側側壁と外側側壁とが二重に形成され、内側側壁及び外側側壁を支持する支持柱等の縦フレームを設置していないため、内側側壁及び外側側壁の間隙内に衛生設備に用いる配管や配線を収納することができると共に配管や配線をユニット化できる。しかも、内側側壁と外側側壁を床部材によってそれぞれ連結して支持したため、縦フレームを設けなくても自立状態に立設することができる。
【０００８】
また、内側側壁と外側側壁は高さ方向の中央より上側にスペーサまたは天井パネルが連結されていてもよい。
内側側壁と外側側壁に高さ方向の中央より上側にスペーサを連結したり、天井パネルを連結したりすることで、内側側壁及び外側側壁の間隙を設定できる。
【０００９】
また、内側側壁と外側側壁の壁パネルはハニカム材または発泡材で形成されていてもよい。
壁パネルを軽量で剛性の高いハニカム材や発泡材で形成することで、内側側壁と外側側壁を自立状態に保持することができる。
【発明の効果】
【００１０】
本発明による衛生設備ユニットによれば、縦フレームを用いないで、床部材に内側側壁と外側側壁を組み立てて衛生設備を囲っているため、壁パネルの枚数と組み立て工数が少なくて済み、組み立てが容易である。しかも、内側側壁及び外側側壁の間隙内に配管と配線の少なくとも一方を収納できるためユニット化を促進できる。
【図面の簡単な説明】
【００１１】
【図１】本発明の第一実施形態によるユニットバスの一部分解斜視図である。
【図２】図１に示すユニットバスのＡ−Ａ線水平断面図である。
【図３】（ａ）は壁パネルを組み立てて内側側壁を形成した平面図、（ｂ）は壁パネルの補強部材同士を連結した図である。
【図４】内部を一部破断して示す壁パネルの芯材の斜視図である。
【図５】図１に示すユニットバスの外側側壁を除いた斜視図である。
【図６】図５に示すユニットバスを開口部と反対側から見た斜視図である。
【図７】図５に示すユニットバスのＢ−Ｂ線断面図であり、内側側壁と天井パネル及び床パネルとの連結構造を示す図である。
【図８】内側側壁における壁パネル上面の縁補強材を示す部分斜視図である。
【図９】内側側壁の壁パネルと天井パネルの連結構造を示す部分拡大図である。
【図１０】床フレーム上に外側側壁と内側側壁を連結した構成を示す部分断面図である。
【図１１】本発明の第二実施形態によるユニットバスの外側側壁を一部分解して示す斜視図である。
【図１２】第二実施形態によるユニットバスの内側側壁を示す斜視図である。
【発明を実施するための形態】
【００１２】
以下、本発明の実施形態による衛生設備ユニットとしてのユニットバスを添付図面によって説明する。
図１乃至図１０は第一実施形態によるユニットバス１を示すものである。
図１において、本実施形態によるユニットバス１は断面略Ｌ字状に折り曲げた壁パネル２で内側側壁３Ａを略四角形筒状に形成し、その上部に天井パネル４、下部に床パネル５を設置して浴室７を形成している。
しかも、内側側壁３Ａの外側には壁パネル２で形成した略四角形筒状の外側側壁３Ｂが設置されている。床パネル５の下側には浴室７と外側側壁３Ｂを支持する例えば金属製の床フレーム８が設置されている。
【００１３】
内側側壁３Ａは防水性と剛性を有すると共に浴室７の内面に化粧面を有している。外側側壁３Ｂも防水性と剛性とを有している。そして、図２に示すように、内側側壁３Ａ及び外側側壁３Ｂで内外二重壁を構成している。浴室７内には床パネル５上に浴槽９と洗い場１０が設置されている。内側側壁３Ａと外側側壁３Ｂの各壁パネル２の一部を切り欠いて開口部１１が形成され、開口部１１にはドアを開閉可能に支持する補強用の額縁１２が設置されている。
【００１４】
図３（ａ）は内側側壁３Ａと外側側壁３Ｂを形成する壁パネル２を示す平面図である。図３（ａ）、（ｂ）に示すように、各壁パネル２は剛性を有する２枚の芯材１４の表裏両面をシート状の表面材１４ａで被覆しており、２枚の芯材１４の中間部をヒンジ部として折り曲げ可能とされている。ヒンジ部は壁パネル２の内側に形成されている。
内側側壁３Ａ及び外側側壁３Ｂは例えば４枚の略Ｌ字型に折り曲げた壁パネル２を四角形筒状に連結することで形成されている。各壁パネル２は平板状の部材を略Ｌ字に折り曲げて設置したため自立性を有している。なお、２枚の壁パネル２の小口面同士の間に平板状の補助壁パネルを設置して内側側壁３Ａや外側側壁３Ｂの空間を拡張することもできる。
【００１５】
各壁パネル２の水平方向両端部には表裏面のいずれか一方の面に例えば角柱状の補強部材１５が固定され、小口面と共に突き合わせた補強部材１５同士をねじ等の結合部材で固定している。そして、四角形筒状をなす壁パネル２の一部を切り欠いて開口部１１を形成している。芯材１４は図４に示すように板状であり、軽量で断熱性と剛性の高い樹脂製やアルミ製等のハニカム材や、樹脂製の発泡材等で形成されている。
図２において、内側側壁３Ａと外側側壁３Ｂは所定の間隙Ｋを介して二重壁として形成され、各壁パネル２の補強部材１５は間隙Ｋ内で対向して設置されている。しかも間隙Ｋ内には、上述の従来技術のように上下方向に延びる縦フレームは設置されていない。壁パネル２はその両端部に補強部材１５を設けたため強度と剛性が高く、変形や歪み、反り等を生じ難い。
【００１６】
図５及び図６は外側側壁３Ｂを除いたユニットバス１の斜視図を示すものであり、内側側壁３Ａにおける浴槽９の外側に設置された壁パネル２はその下端部が浴槽９の上部に位置しているが、床パネル５の高さまで下方に延ばしてもよい。また、床フレーム８には床パネル５を支持する支持フレーム８ａが所定間隔で設置されている。
そして、図５において、内側側壁３Ａにおける開口部１１の側部の壁パネル２上には外側側壁３Ｂの外側に突出する図示しない照明器具やファン等の操作パネル１７が設置されている。操作パネル１７に接続された電気配線１８は外側側壁３Ｂと内側側壁３Ａとの間の間隙Ｋ内を通って上方に送られ、ユニットバス１の外部の図示しない配電盤と浴室７内に設置された照明器具等とにそれぞれ接続されている。
【００１７】
また、図６において、内側側壁３Ａの開口部１１に対向する壁パネル２には、浴槽９と洗い場１０の給湯口や蛇口に湯や水を供給する給水配管１９ａ、１９ｂが設置されている。給水配管１９ａ、１９ｂは床パネル５の下側から内側側壁３Ａ及び外側側壁３Ｂの間の間隙Ｋを経由して浴室７内の浴槽９と洗い場１０の給湯口や蛇口に接続されている。
本実施形態では、内側側壁３Ａ及び外側側壁３Ｂの間の間隙Ｋ内に電気配線１８や給水配管１９ａ、１９ｂを収納して例えば内側側壁３Ａに取り付けているため、電気配線１８や給水配管１９ａ、１９ｂを間隙Ｋ内でユニット化できる。また、床パネル５の下側には排水管が設置されている。
【００１８】
床フレーム８には、内側側壁３Ａの外側に略四角形枠状のアングル材８ｂが固定されており、このアングル材８ｂには例えば金属製の位置決め部材２０が上方向に起立して立設されている。位置決め部材２０の立設位置は内側側壁３Ａの補強部材１５同士の連結部に対向しており、本実施形態では四辺の各辺をなすアングル材８ｂの中間部である。
そして、アングル材８ｂ上に外側側壁３Ｂの断面略Ｌ字型の壁パネル２を設置し、その両端部の小口面及び補強部材１５が位置決め部材２０の両側にそれぞれ当接することで、外側側壁３Ｂの壁パネル２同士を面合わせして位置決めできる。位置決め部材２０は壁パネル２の位置決めと同時に外側側壁３Ｂの補強材としての機能を有している。
内側側壁３Ａ及び外側側壁３Ｂの各壁パネル２はそれぞれ略Ｌ字型に折り曲げた板状であるため、縦フレームを用いることなく、それぞれ自立して設置できる。そのため、組立時に各壁パネル２は簡単に組み立て作業を行える。
【００１９】
次に図７乃至図１０により内側側壁３Ａの壁パネル２と天井パネル４及び床パネル５との連結構造について説明する。図７は図５に示す内側側壁３ＡのＢ−Ｂ線断面図である。壁パネル２の上部に天井パネル４が設置され、下部には床パネル５が連結されている。
図８及び図９に示す壁パネル２と天井パネル４の連結構造において、略Ｌ字状に折り曲げられた壁パネル２の上面２１には、例えば着座面２２ａと起立面２２ｂからなる断面略Ｌ字状の縁補強材２２が設置され、ボルトで着座面２２ａが壁パネル２の上面２１に固定されている。
【００２０】
縁補強材２２は略四角形筒状の内側側壁３Ａの各辺毎に設置されていてもよいし、折り曲げられた壁パネル２毎に設置されていてもよい。縁補強材２２はスチールやアルミ等の金属で形成されていることが好ましい。縁補強材２２を壁パネル２毎に設置する場合には工場で予め設置できるが、内側側壁３Ａの各辺毎に設置する場合には現場で組み立てた後に設置することになる。
【００２１】
そして、内側側壁３Ａにおける四辺の縁補強材２２の着座面２２ａ上に天井パネル４の段付き部４ａがそれぞれ載置されている。天井パネル４は四角形板状であり、その中央領域は所定厚みを有し、四辺の縁部に形成した段付き部４ａは肉厚が薄くなっている。天井パネル４の上部に更に断面略Ｌ字状で例えば金属製の固定部材２４が設置されている。この固定部材２４の着座面２４ａで天井パネル４を押圧し、起立面２４ｂを縁補強材２２の起立面２２ｂとボルトで連結している。
これによって、天井パネル４は段付き部４ａで各壁パネル２の縁補強材２２の着座面２２ａ上に固定され、段付き部４ａを除く中央領域が垂下するため、浴室７内の湯や水が壁パネル２と天井パネル４の接合部にかかっても水の浸入を防止し、止水性を確保できる。そのため、壁パネル２と天井パネル４の接合部をコーキング等で止水処理することが不要になる。
【００２２】
なお、天井パネル４はハニカム材等のような光透過性部材で形成してもよい。この場合には、外光を天井パネル４を通してユニットバス１の浴室７内に導いて内部を明るく照らすことができる。特に天井パネル４の上部に照明器具が設置されていれば間接照明として浴室７内を明るく照明できる。
【００２３】
次に、壁パネル２と床パネル５の連結構造について図１０により説明する。図１０では内側側壁３Ａだけでなく、外側側壁３Ｂとこれらを支持する床フレーム８の縦断面が示されている。
図１０において、居室の床面２６または床スラブ上に床フレーム８が設置され、ユニットバス１の外側側壁３Ｂを除いた浴室７の部分を載置する受け台２７が床フレーム８に設けた支持フレーム８ａ上に設置されている。支持フレーム８ａの外側には外側側壁３Ｂが設置され、その壁パネル２の下面を支持するアングル材８ｂが床フレーム８に設けられている。外側側壁３Ｂの壁パネル２とアングル材８ｂには例えば金属製で略Ｌ字状の固定部材３０が設置され、固定部材３０の着座面３０ａと起立面３０ｂとが壁パネル２とアングル材８ｂとにそれぞれボルト固定されている。
【００２４】
また、床パネル５の受け台２７の上部には四辺の周縁部に起立する立ち面５ａが形成された床パネル５が載置されている。立ち面５ａの近傍の床パネル５上には内側側壁３Ａの壁パネル２が設置され、壁パネル２の外側周囲が立ち面５ａで囲われている。壁パネル２の下部近傍には略階段形状の固定片３１がボルト固定され、その下側に屈曲形成された係止部３１ａが床パネル５の立ち面５ａの外側に係止されている。
これによって、内側側壁３Ａの壁パネル２を床パネル５に着座させて係止保持でき、壁パネル２の位置ずれを阻止して精度良く自立設置できる。なお、内側側壁３Ａの壁パネル２の下端部と床パネル５の立ち面５ａとの隙間にスペーサを介在させることで、壁パネル２の位置ずれを一層防止できる。
【００２５】
本第一実施形態によるユニットバス１は上述の構成を備えており、次にユニットバス１の組み立て方法の一例を説明する。
まず、床面２６上に床フレーム８を設置し、その上部中央に支持フレーム８ａを介して受け台２７及び床パネル５を設置する。床パネル５上には浴槽９と洗い場１０を設置して固定する。次に、床パネル５上の外側端部に、補強部材１５が設けられた断面略Ｌ字形状の壁パネル２を順次設置し、四角形筒状の内側側壁３Ａを形成する。内側側壁３Ａの各壁パネル２は固定片３１の係止部３１ａを床パネル５の立ち面５ａに係合させることで係止保持できる。内側側壁３Ａは自立型部材であり、下端部のみが立ち面５ａに係止されている。
【００２６】
その際、図３に示すように、隣り合う壁パネル２同士の互いに当接する２本の補強部材１５をねじ止め固定し、または断面略コの字の嵌合部材で嵌合してねじ止めする。そして、内側側壁３Ａの上面２１に固定した縁補強材２２を介して天井パネル４の段付き部４ａを載置させ、更に固定部材２４を介して縁補強材２２とねじ止めする。内側側壁３Ａは下端部のみを固定された自立型の部材であり、縦フレーム等に連結しなくても自立支持できる。
内側側壁３Ａの壁パネル２の外側の面には操作パネル１７及び電気配線１８が予め取り付けられており、別の壁パネル２の外側の面には給水配管１９ａ、１９ｂが予め配設されている。そのため、操作パネル１７及び電気配線１８、給水配管１９ａ、１９ｂは内側側壁３Ａの外側の面に取り付けられてユニット化されており、格別な敷設作業を必要としない。
【００２７】
次に、内側側壁３Ａの外側に所定の間隙Ｋを介して外側側壁３Ｂの壁パネル２を設置する。各壁パネル２は床フレーム８の外側のアングル材８ｂ上に載置され、下端部を固定部材３０によって連結する。その際、各壁パネル２は床フレーム８の各辺をなすアングル材８ｂの中央に立設された位置決め部材２０の両側に端部の小口面と補強部材１５を当接させることで位置決めする。外側側壁３Ｂは下端部のみがアングル材８ｂに固定された自立型部材であり、内側側壁３Ａや縦フレームに連結しなくてもよい。
【００２８】
そして、内側側壁３Ａ及び外側側壁３Ｂの間に間隙Ｋが設置され、その内部にユニット化された電気配線１８及び給水配管１９ａ、１９ｂが収納されたことになる。
なお、図１０で二点鎖線で示すように、内側側壁３Ａ及び外側側壁３Ｂの上部同士を連結するスペーサ３２を間隙Ｋ内に設置してもよい。内側側壁３Ａと外側側壁３Ｂは高さ方向の中央より上側にスペーサ３２を連結することが間隙Ｋを一定にする上で好ましい。或いは、天井パネル４の段付き部４ａを内側側壁３Ａの上面２１から外側側壁３Ｂまで延ばして縁補強材２２と固定部材２４で同様にねじ固定し、段付き部４ａを内側側壁３Ａの上面２１にもねじ固定してもよい。また、間隙Ｋ内の隙間には緩衝材や断熱材等を設置してもよい。
【００２９】
上述したように本第一実施形態によるユニットバス１によれば、内側側壁３Ａ及び外側側壁３Ｂによって間隙Ｋを介して二重壁を立設でき、間隙Ｋの内部には縦フレーム等を設置しないため、施工が簡単で高強度である。しかも、間隙Ｋ内に電気配線１８、給水配管１９ａ、１９ｂ等をユニット化して収納することができる上に、現場での電気配線１８や給水配管１９ａ、１９ｂ等の設置の手間を削減できる。また、これらの電気配線１８や給水配管１９ａ、１９ｂ等が外側側壁３Ｂの外部や浴室７内に露出することを減らすことができる。
【００３０】
また、内側側壁３Ａ及び外側側壁３Ｂの開口部１１に額縁１２を設けると共に壁パネル２の上面２１に縁補強材２２を設けたため、ユニットバス１の強度と剛性が高く変形し難い。しかも、内側側壁３Ａ及び外側側壁３Ｂは断面略Ｌ字型の壁パネル２を４枚または平板状の補助壁パネルを介して互いに連結して製造できる上に、これら内側側壁３Ａ及び外側側壁３Ｂは自立型の部材であるため、施工時に縦フレーム等の部材によって倒れたり傾いたりしないように支える必要がなく、施工効率が向上する。
【００３１】
なお、本発明によるユニットバス１は上述した実施形態に限定されるものではなく、本発明の趣旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００３２】
図１１及び図１２は本発明の第二実施形態によるユニットバス１Ａを示すものである。
図１１及び図１２において、内側側壁３Ａと外側側壁３Ｂを構成する壁パネル３４は断面略Ｌ字状の板材ではなく、平板状の板材で形成されている。図１２（ａ）に示す内側側壁３Ａでは、平板状の各壁パネル３４は床フレーム８に固定する際、図１２（ｂ）に示すように各フレーム材８ｄに断面凹部状の溝８ｃを形成しておき、この溝８ｃに壁パネル３４の下端凸部を嵌合させて容易に支持させることができる。或いは、平板状の壁パネル３４を床パネル５の縁部に設置し、壁パネル３４の下端部に固定した固定片３１の係止部３１ａを床パネル５の立ち面５ａに係合させることで立設させてもよい。
また、図１１（ａ）、（ｂ）に示す外側側壁３Ｂを形成する壁パネル３４においても床フレーム８のアングル材８ｂに固定する際、内側側壁３Ａと同様に、アングル材８ｂに断面凹部状の溝８ｃを形成しておき、この溝８ｃに壁パネル３４の下端凸部を嵌合させて容易に支持させることができる。その後、固定部材３０で外側側壁３Ｂとアングル材８ｂを連結してもよい。
【００３３】
本第二実施形態では、図１０に示すように、内側側壁３Ａと外側側壁３Ｂとの間で上部にスペーサ３２を連結して互いに固定することが好ましい。或いは、天井パネル４を内側側壁３Ａから外側側壁３Ｂに延ばして内側側壁３Ａ及び外側側壁３Ｂの上端部とそれぞれねじ等で連結するようにしてもよい。
また、壁パネル２、３４を設置する床部材として床パネル５や床フレーム８を用いて説明したが、床部材は床パネル５や床フレーム８に限定されることなく、適宜形状の床部材を用いることができる。
【００３４】
なお、上述した説明では、本発明の実施形態による壁パネル２はユニットバス１の内側側壁３Ａ及び外側側壁３Ｂを形成するためのものであるが、本発明による壁パネル２はユニットバス１に限定されるものではなく、ユニットトイレやプレハブ住宅等の各種の閉空間ユニットに採用できる。
また、上述の実施形態や変形例では、壁パネル２の補強部材１５として角柱状の金属材を固定したが、補強部材１５は角柱状である必要はなく、円柱状や板状等、適宜の形状のものを壁パネル２の裏面に固定できる。
上述した各実施形態では、浴室７を衛生設備としたが、衛生設備として浴室７以外に便器やキッチン台、洗面台等の水回り設備に適用できる。そして、本発明による衛生設備ユニットとして、ユニットバス１以外にトイレ室やキッチン、洗面所等の各種のものに適用できる。
【符号の説明】
【００３５】
１  ユニットバス
２、３４  壁パネル
３Ａ，内側側壁
３Ｂ  外側側壁
４  天井パネル
５  床パネル
７  浴室
９  浴槽
８  床フレーム
１５  補強部材
１７  操作パネル
１８  電気配線
１９ａ、１９ｂ  給水配管
２０  位置決め部材
２２  縁補強材
３２  スペーサ
Ｋ  間隙
【図１】
2018053529.tif 000003
【図２】
2018053529.tif 000004
【図３】
2018053529.tif 000005
【図４】
2018053529.tif 000006
【図５】
2018053529.tif 000007
【図６】
2018053529.tif 000008
【図７】
2018053529.tif 000009
【図８】
2018053529.tif 000010
【図９】
2018053529.tif 000011
【図１０】
2018053529.tif 000012
【図１１】
2018053529.tif 000013
【図１２】
2018053529.tif 000014